(57)【要約】【課題】ロボットによる自動組込を容易に為し得る電子機器を提供する。【解決手段】筐体と、筐体内に電子部品を配置した基板３とを備える電子機器において、  筐体は、筐体内部側に向けて突出する突出部２を備え、  基板３は、突出部２を挿入可能にする孔５と、孔５に挿入された突出部２を把持し得るよう孔５へ延在する把持部７，８とを備える。【選択図】図４
2006261023.tif 000002
【特許請求の範囲】
【請求項１】
筐体と、該筐体内に電子部品を配置した基板とを備える電子機器において、
前記筐体は、筐体内部側に向けて突出する突出部を備え、
前記基板は、前記突出部を挿入可能にする孔と、該孔に挿入された前記突出部を把持し得るよう前記孔へ延在する把持部とを備えたことを特徴とする電子機器。
【請求項２】
前記把持部を複数備えると共に、複数の把持部の少なくとも１つは、前記突出部の挿入時に塑性変形し得るよう構成されたことを特徴とする請求項１記載の電子機器。
【請求項３】
前記把持部は、前記突出部の把持を解除する解除手段を備えたことを特徴とする請求項１又は２記載の電子機器。
【請求項４】
前記突出部に導電膜を備え、前記把持部を導電材料として前記基板のグランドパターンと導通させるよう構成したことを特徴とする請求項１〜３のいずれかに記載の電子機器。
【発明の詳細な説明】
【技術分野】
【０００１】
本発明は、携帯電話機、ＰＨＳ等の移動通信機、ＰＤＡ（Personal Digital Assistant）、携帯ラジオ、ＭＤプレーヤ、ＣＤプレーヤ、カセットテープレコーダといった電子機器に関するものである。
【背景技術】
【０００２】
近年、携帯電話機等の電子機器には小型化・軽量化の要求があり、筐体内の基板の配置や、筐体への取付が種々改良されてきた。例えば、携帯電話機の基板の固定は、筐体に形成されるネジボスやリブによって位置決めを行い、ケースの嵌め合わせやネジによって基板を固定していた。
【０００３】
ここで、このような一例としては、電子部品に係合部と基板に被係合部を設け、上下の筐体片を組み付けて係止するものがあり（例えば、特許文献１）、又、他の例としては、筐体に固定部材を介して基板を係止するものがある（例えば、特許文献２）。
【特許文献１】特開２００２−３３０１９９号公報
【特許文献２】実開平０２−０３１０３５号公報
【発明の開示】
【発明が解決しようとする課題】
【０００４】
しかしながら、上記の如く筐体片同士を組み付けて基板を係止する場合や、他の固定部材を介して基板を係止する場合には、組付工程において、携帯電話機等の電子機器の配置方向が制限されるため、ロボットによる自動組込が困難になるという問題があった。
【０００５】
本発明は上述の実情に鑑み、ロボットによる自動組込を容易に為し得る電子機器を提供することを目的としてなしたものである。
【課題を解決するための手段】
【０００６】
本発明は、筐体と、該筐体内に電子部品を配置した基板とを備える電子機器において、
前記筐体は、筐体内部側に向けて突出する突出部を備え、
前記基板は、前記突出部を挿入可能にする孔と、該孔に挿入された前記突出部を把持し得るよう前記孔へ延在する把持部とを備えたことを特徴とする電子機器、にかかるものである。
【０００７】
本発明において、前記把持部を複数備えると共に、複数の把持部の少なくとも１つは、前記突出部の挿入時に塑性変形し得るよう構成されることが好ましい。
【０００８】
本発明において、前記把持部は、前記突出部の把持を解除する解除手段を備えることが好ましい。
【０００９】
本発明において、前記突出部に導電膜を備え、前記把持部を導電材料として前記基板のグランドパターンと導通させるよう構成することが好ましい。
【発明の効果】
【００１０】
本発明の電子機器によれば、ロボットによる自動組込を容易に行うことができるという優れた効果を奏し得る。
【発明を実施するための最良の形態】
【００１１】
以下、本発明の実施の形態を図面を参照して説明する。
【００１２】
図１〜図５は本発明の実施の形態例である。
【００１３】
本発明の形態例の電子機器は、携帯電話機、ＰＨＳ等の移動通信機、ＰＤＡ、携帯ラジオ、ＭＤプレーヤ、ＣＤプレーヤ、カセットテープレコーダ等からなるものであり、ここでは、携帯電話機を例に説明する。
【００１４】
電子機器の携帯電話機を構成するキーフロントケース等の筐体１には、組立時に筐体１内部側に向けて突出するよう、筐体１の内側面に形成されるネジボス等の突出部２を備えており、筐体１の内側面には、突出部２を含めて導電塗装及び／又は蒸着等の導電膜を備えている。
【００１５】
一方、筐体１内に電子部品を配置し得る基板３には、ＩＯコネクタやイヤホンジャック等の大型の電気部品（図示せず）と共に複数の係合部４を備えており（図３では分かりやすくするため係合部４を１つ示す。）、係合部４には、中央に所定の大きさの孔５を形成する周囲部６と、周囲部６の一側から孔５の中央近傍へ延在する第一の把持部７と、周囲部６の他側から孔５の中央近傍へ延在する第二の把持部８と、周囲部６の両側から外方へ延在する固定部９とを備えている。又、係合部４に対応する基板３の位置には、孔５と同軸上の貫通孔３ａを備えている。
【００１６】
ここで、第一の把持部７は、周囲部６の一側から孔５の中央近傍まで周囲部６と略平行に延在する平板で形成されており、第二の把持部８は、周囲部６の他側から孔５の中央近傍まで延在し且つ両端８ａ，８ｂを周囲部６の平面から離間させるよう湾曲する円弧部材で形成されており、円弧部材は中途位置で周囲部６に固定されている。
【００１７】
又、第一の把持部７及び第二の把持部８は、塑性変形し得る板金等の材質で構成されており、第二の把持部８は、周囲部６側の円弧部材の一端８ａを周囲面側へ押した場合に、孔５側に位置する円弧部材の他端８ｂを孔５から離間させる解除手段を構成している。
【００１８】
更に、第一の把持部７及び第二の把持部８は、りん青銅等の導電材料からなり、係合部４の周囲部６及び固定部９を介して基板３のグランドパターン（図示せず）に導通するようになっている。
【００１９】
以下、本発明の実施の形態例の作用を説明する。
【００２０】
キーフロントケース等の筐体１に基板３を組み付ける際には、初めに、基板３に係合部４を固定して準備する。具体的には、スクリーン印刷された基板３にロボット等で半田付けの位置を決め、基板３に係合部４を配置して孔５と貫通孔３ａを同軸上にし、半田付けにより係合部４の固定部９と基板３を固定する。なお、係合部４を基板３に固定する際には、作業効率を向上させるよう、ＩＯコネクタやイヤホンジャック等の大型の電気部品（図示せず）と同じ工程で実装することが好ましい。
【００２１】
次に、図２に示す如く、筐体１に、キーの表面部分を構成するラバーキー１０を配置し、続いて、ラバーキー１０を挟み込むよう基板３を筐体１に組み込む。
【００２２】
このとき、図４、図５に示す如く、基板３の貫通孔３ａ及び係合部４の孔５には筐体１の突出部２を挿入し、係合部４の第一の把持部７及び第二の把持部８を可塑変形させ、突出部２を挟み込んで把持し、基板３を筐体１に係止する。又、基板３を筐体１に係止した際には、基板３のグラントパターンに導通する導電材料の第一の把持部７と第二の把持部８の少なくとも一方が、筐体１の突出部２及び筐体１の内側面の導電膜の部分を介して静電対策のアースを構成する。なお、第一の把持部７と第二の把持部８の少なくとも一方を導電材料にしておけば、アースを構成してない場合であっても、電子装置の開発中に静電対策が必要になった際に、筐体１に導電塗装もしくは蒸着させることによってアースを容易に構成し、静電対策用のシート等を不要にすることができる。
【００２３】
一方、基板３を筐体１から脱着する際には、第二の把持部８の円弧部材の一端８ａを押すことにより、突出部２を挟み込む第二の把持部８の円弧部材の他端８ｂを突出部２から離間させ、突出部２の把持を解除し、基板３と筐体１の係合を外す。
【００２４】
このように、本発明の実施の形態例によれば、基板３の係合部４の孔５に筐体１の突出部２を挿入して第一の把持部７及び第二の把持部８により突出部２を把持するので、基板３を筐体１に簡単に固定し、結果的に、組込工程における電子機器の配置方向の制限をなくし、ロボットによる自動組込を容易にすることができる。
【００２５】
実施の形態例において、第一の把持部７及び第二の把持部８の如く把持部を複数備えると共に、複数の把持部７，８の少なくとも１つは、突出部２の挿入時に塑性変形し得るよう構成されると、基板３の係合部４の孔５に筐体１の突出部２を挿入した際には、把持部７，８が可塑変形するので、複数の把持部７，８による突出部２の把持を容易にし、基板３を筐体１に一層簡単に固定することができる。
【００２６】
実施の形態例において、第二の把持部８は、突出部２の把持を解除する解除手段を備えると、突出部２の把持を容易に解除し得るので、誤って基板３を取り付けた場合、修理や解体処理の場合に、基板３と筐体１の係合を簡単に外すことができる。
【００２７】
実施の形態例において、突出部２に導電塗装及び／又は蒸着等の導電膜を備え、第一の把持部７及び第二の把持部８を導電材料として基板３のグランドパターンと導通させるよう構成すると、基板３のグランドパターンから把持部７，８、突出部２の導電塗装及び／又は蒸着の導電膜を介してアースを構成し得るので、好適に静電対策を施すことができる。
【００２８】
なお、本発明の電子機器は、係合部を設けることなく直接基板に孔と把持部を備えても良いこと、把持部の数は特に限定されるものではないこと、把持部の解除手段は突出部の把持を解除するならば他の構造でも良いこと、把持部の導電膜の材料は他の材料でも良いこと、その他、本発明の要旨を逸脱しない範囲内において種々変更を加え得ることは勿論である。
【図面の簡単な説明】
【００２９】
【図１】本発明の電子機器における基板の係合部を示す概略図である。
【図２】本発明の電子機器における基板と筐体の関係を示す概略図である。
【図３】本発明の電子機器における筐体の突出部に基板の係合部を係止した状態を示す概念図である。
【図４】図３のＩＶ−ＩＶ矢視図である。
【図５】本発明の電子機器における筐体の突出部に基板の係合部を係止した状態を拡大して示す概略図である。
【符号の説明】
【００３０】
１    筐体
２    突出部
３    基板
５    孔
７    第一の把持部
８    第二の把持部
８ａ  一端（解除手段）
８ｂ  他端（解除手段）
【図１】
2006261023.tif 000003
【図２】
2006261023.tif 000004
【図３】
2006261023.tif 000005
【図４】
2006261023.tif 000006
【図５】
2006261023.tif 000007